【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、遊技球が流下可能な遊技領域を有する遊技演出ユニットと、
遊技の進行を制御する遊技制御手段と
を備え、
前記本体枠は、
前記外枠の左右両側面内壁に近接して設けられる薄肉状の一対の本体枠側壁部および前記外枠の上面内壁に近接して設けられる薄肉状の本体枠上壁部を有しており、
当該本体枠側壁部および当該本体枠上壁部は、
前記外枠の前面からその後面を超える後方位置まで略立設されることにより、当該本体枠側壁部および当該本体枠上壁部により囲繞形成される大収容空間を内側に形成する壁体として構成されており、
前記遊技演出ユニットは、
前記遊技領域が形成される透明の遊技板と、
略中央に開口部が形成され、前記遊技板の裏面側において当該遊技板との間に三次元の広域演出領域を形成すると共に、前記開口部の外周であって且つ当該広域演出領域内に発光装飾体が配置される裏ユニットと、
前記遊技板と一定の距離を隔てた後方に位置する前記開口部に当該遊技板と略平行に配置されて、所定の演出画像図柄を表示可能な演出画像表示装置と
を少なくとも有すると共に、前記大収容空間にその前面からのみ収容可能とされるものであり、
前記遊技板は、
前記遊技領域を流下する遊技球の流下方向の最下流側に形成され、当該遊技領域に打ち込まれた遊技球を排出しうる排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
前記遊技領域に向けて打ち込まれた遊技球を受け入れ可能な第二受入口と、
前記第二受入口の近傍に設けられ、当該第二受入口への遊技球の受け入れが不可能または困難な閉状態と当該第二受入口への遊技球の受け入れが可能な開状態との間で開閉動作しうる可動部材と
を前記遊技領域に有しており、
前記遊技制御手段は、
前記第一受入口または前記第二受入口への遊技球の受け入れを検出する受入検出手段と、
前記可動部材の開閉動作を制御する可動制御手段と、
前記受入検出手段による前記第一受入口または前記第二受入口への遊技球の受入検出に応じて第１の確率に基づいて当落にかかる判定を行う当落判定処理、並びに
当該当落判定処理において当選と判定された場合に、相対的に有利度合いが高い特別当たりおよび当該特別当たりよりも有利度合いが低い通常当たりを少なくとも含む当たりのうちいずれの当たりに当選したかを判定する当選種別判定処理
を行う抽選手段と、
前記抽選手段による抽選結果に応じて前記演出画像表示装置にて表示される演出画像図柄の表示制御を行いうる演出画像表示制御手段と、
前記抽選手段による抽選結果に応じた態様で前記発光装飾体の点灯または／および消灯の制御を行う発光制御手段と、
前記当落判定処理において当選したと判定されたとき、賞としての遊技球を遊技者に付与しうる当たり遊技を実行可能な当たり遊技実行手段と、
常には、前記第二受入口に遊技球が受け入れられる期待感が少ないまたは当該期待感を遊技者に与えない平時態様に前記可動部材が制御される通常遊技状態に制御し、所定の条件が成立した場合に、当該第二受入口への遊技球の受け入れが前記平時態様よりも促進される促進態様に前記可動部材が制御される有利遊技状態に制御しうる遊技状態制御手段と
を有しており、
前記演出画像表示装置にて表示される前記演出画像図柄には、
前記当たり遊技が実行されたのちの遊技状態が前記有利遊技状態に制御されることを示唆する第１の演出画像図柄、および
前記当たり遊技が実行されたのちの遊技状態が前記通常遊技状態に制御されうることを示唆する第２の演出画像図柄、の２種類の演出画像図柄が少なくとも含まれており、
前記当選種別判定処理において判定された当選種別が前記特別当たりであるとき、前記演出画像表示制御手段によって前記第１の演出画像図柄が前記演出画像表示装置に表示されうると共に、当該特別当たりに基づく当たり遊技が実行されたのちの遊技状態が、前記遊技状態制御手段によって前記有利遊技状態のうち前記第１の確率よりも当選確率が高い第２の確率に基づいて前記当落判定処理が行われる第１の有利遊技状態に制御され、
前記当選種別判定処理において判定された当選種別が前記通常当たりであるとき、前記第１の演出画像図柄が前記演出画像表示装置に表示されることなく、前記演出画像表示制御手段によって前記第２の演出画像図柄が前記演出画像表示装置に表示されうると共に、当該通常当たりに基づく当たり遊技が実行されたのちの遊技状態が前記遊技状態制御手段によって前記通常遊技状態に制御され、
さらに、前記遊技状態制御手段は、
前記第１の有利遊技状態における前記当選種別判定処理において判定された当選種別が前記通常当たりであるとき、当該通常当たりに基づく当たり遊技が実行されたのちの遊技状態を、前記有利遊技状態のうち前記第１の確率に基づいて前記当落判定処理が行われる第２の有利遊技状態に、所定期間に限って制御すると共に、
前記第２の有利遊技状態に制御されている前記所定期間中に、前記当落判定処理において当選し且つ前記当選種別判定処理において判定された当選種別が前記通常当たりであるとき、前記第１の演出画像図柄が前記演出画像表示装置に表示されることなく、前記第２の演出画像図柄が前記演出画像表示装置に表示されうるにも拘らず、当該通常当たりに基づく当たり遊技が終了したのちの遊技状態を前記第１の有利遊技状態に制御することによって、当たりとしての価値を増幅させる
ことを特徴とする遊技機。
【請求項２】
前記外枠に対する前記本体枠の開放を規制するよう前記本体枠の自由端側に設けられ、上下方向に摺動可能な摺動杆を有する施錠装置をさらに備え、
前記外枠は、
長手方向に配置された一対の縦板と短手方向に配置された一対の横板とによって形成されると共に、
少なくとも自由端側の前記縦板には、薄板部材で略平坦に形成される外壁部、および、当該外壁部の後部から内側に折り曲げられてまたは立設されて形成される厚み部、を有すると共に、当該外壁部の内側には当該厚み部の幅の縦板内スペースが形成されており、
前記施錠装置の前記摺動杆は、前記本体枠が前記外枠に対し閉じられた状態において前記縦板内スペースに収容される
ことを特徴とする請求項１に記載の遊技機。
【請求項３】
遊技の進行に応じて遊技球を払い出す払出装置と、
遊技機内に貯留された遊技球を前記払出装置へ案内する払出通路と
をさらに備え、
前記本体枠は、
前記本体枠側壁部の後端から内側方向に伸びて前記遊技演出ユニットの後面に位置する後壁部を有しており、
前記払出装置及び前記払出通路は、前記後壁部の背面側に配置されている
ことを特徴とする請求項１または請求項２に記載の遊技機。
【手続補正２】
【補正対象書類名】明細書
【補正対象項目名】０００９
【補正方法】変更
【補正の内容】
【０００９】
本発明の遊技機は、縦長矩形状に形成された外枠と、前記外枠の前面一側に軸支されて開閉自在に設けられた本体枠と、前記本体枠に収容され、遊技球が流下可能な遊技領域を有する遊技演出ユニットと、遊技の進行を制御する遊技制御手段とを備え、前記本体枠は、前記外枠の左右両側面内壁に近接して設けられる薄肉状の一対の本体枠側壁部および前記外枠の上面内壁に近接して設けられる薄肉状の本体枠上壁部を有しており、当該本体枠側壁部および当該本体枠上壁部は、前記外枠の前面からその後面を超える後方位置まで略立設されることにより、当該本体枠側壁部および当該本体枠上壁部により囲繞形成される大収容空間を内側に形成する壁体として構成されており、前記遊技演出ユニットは、前記遊技領域が形成される透明の遊技板と、略中央に開口部が形成され、前記遊技板の裏面側において当該遊技板との間に三次元の広域演出領域を形成すると共に、前記開口部の外周であって且つ当該広域演出領域内に発光装飾体が配置される裏ユニットと、前記遊技板と一定の距離を隔てた後方に位置する前記開口部に当該遊技板と略平行に配置されて、所定の演出画像図柄を表示可能な演出画像表示装置とを少なくとも有すると共に、前記大収容空間にその前面からのみ収容可能とされるものであり、前記遊技板は、前記遊技領域を流下する遊技球の流下方向の最下流側に形成され、当該遊技領域に打ち込まれた遊技球を排出しうる排出口と、前記排出口に向けて流下する遊技球の流下態様を不規則に変化させる流下態様変化手段と、前記遊技領域を流下する複数の遊技球を対象として前記流下態様変化手段によって一球ずつ受け入れ可能な第一受入口と、前記遊技領域に向けて打ち込まれた遊技球を受け入れ可能な第二受入口と、前記第二受入口の近傍に設けられ、当該第二受入口への遊技球の受け入れが不可能または困難な閉状態と当該第二受入口への遊技球の受け入れが可能な開状態との間で開閉動作しうる可動部材とを前記遊技領域に有しており、前記遊技制御手段は、前記第一受入口または前記第二受入口への遊技球の受け入れを検出する受入検出手段と、前記可動部材の開閉動作を制御する可動制御手段と、前記受入検出手段による前記第一受入口または前記第二受入口への遊技球の受入検出に応じて第１の確率に基づいて当落にかかる判定を行う当落判定処理、並びに当該当落判定処理において当選と判定された場合に、相対的に有利度合いが高い特別当たりおよび当該特別当たりよりも有利度合いが低い通常当たりを少なくとも含む当たりのうちいずれの当たりに当選したかを判定する当選種別判定処理を行う抽選手段と、前記抽選手段による抽選結果に応じて前記演出画像表示装置にて表示される演出画像図柄の表示制御を行いうる演出画像表示制御手段と、前記抽選手段による抽選結果に応じた態様で前記発光装飾体の点灯または／および消灯の制御を行う発光制御手段と、前記当落判定処理において当選したと判定されたとき、賞としての遊技球を遊技者に付与しうる当たり遊技を実行可能な当たり遊技実行手段と、常には、前記第二受入口に遊技球が受け入れられる期待感が少ないまたは当該期待感を遊技者に与えない平時態様に前記可動部材が制御される通常遊技状態に制御し、所定の条件が成立した場合に、当該第二受入口への遊技球の受け入れが前記平時態様よりも促進される促進態様に前記可動部材が制御される有利遊技状態に制御しうる遊技状態制御手段とを有しており、前記演出画像表示装置にて表示される前記演出画像図柄には、前記当たり遊技が実行されたのちの遊技状態が前記有利遊技状態に制御されることを示唆する第１の演出画像図柄、および前記当たり遊技が実行されたのちの遊技状態が前記通常遊技状態に制御されうることを示唆する第２の演出画像図柄、の２種類の演出画像図柄が少なくとも含まれており、前記当選種別判定処理において判定された当選種別が前記特別当たりであるとき、前記演出画像表示制御手段によって前記第１の演出画像図柄が前記演出画像表示装置に表示されうると共に、当該特別当たりに基づく当たり遊技が実行されたのちの遊技状態が、前記遊技状態制御手段によって前記有利遊技状態のうち前記第１の確率よりも当選確率が高い第２の確率に基づいて前記当落判定処理が行われる第１の有利遊技状態に制御され、前記当選種別判定処理において判定された当選種別が前記通常当たりであるとき、前記第１の演出画像図柄が前記演出画像表示装置に表示されることなく、前記演出画像表示制御手段によって前記第２の演出画像図柄が前記演出画像表示装置に表示されうると共に、当該通常当たりに基づく当たり遊技が実行されたのちの遊技状態が前記遊技状態制御手段によって前記通常遊技状態に制御され、さらに、前記遊技状態制御手段は、前記第１の有利遊技状態における前記当選種別判定処理において判定された当選種別が前記通常当たりであるとき、当該通常当たりに基づく当たり遊技が実行されたのちの遊技状態を、前記有利遊技状態のうち前記第１の確率に基づいて前記当落判定処理が行われる第２の有利遊技状態に、所定期間に限って制御すると共に、前記第２の有利遊技状態に制御されている前記所定期間中に、前記当落判定処理において当選し且つ前記当選種別判定処理において判定された当選種別が前記通常当たりであるとき、前記第１の演出画像図柄が前記演出画像表示装置に表示されることなく、前記第２の演出画像図柄が前記演出画像表示装置に表示されうるにも拘らず、当該通常当たりに基づく当たり遊技が終了したのちの遊技状態を前記第１の有利遊技状態に制御することによって、当たりとしての価値を増幅させることを特徴とする遊技機である。